(57)【要約】【課題】生体データの読み出し時に位置合わせが容易なコネクタ、読出装置、及び、検出データ処理装置を提供する。【解決手段】コネクタは、被検体に貼り付けられる感圧接着層と、前記感圧接着層に固定され前記被検体に接触するプローブと、前記プローブを介して検出される検出データを格納するメモリと、前記メモリに接続され前記データの読み出しに用いられる読出端子とを有する貼付型センサから前記検出データを読み出す際に前記貼付型センサに接続されるコネクタであって、前記貼付型センサの外形に合わせた収納部を有する筐体と、前記収納部に設けられ、前記収納部に前記貼付型センサが位置合わせされた状態で、前記読出端子に接続される第１端子と、前記第１端子に電気的に接続されるとともに、前記検出データのデータ処理を行う情報処理装置に接続される第２端子とを含む。【選択図】図８
2020062244.tif 000002
【特許請求の範囲】
【請求項１】
被検体に貼り付けられる感圧接着層と、前記感圧接着層に固定され前記被検体に接触するプローブと、前記プローブを介して検出される検出データを格納するメモリと、前記メモリに接続され前記データの読み出しに用いられる読出端子とを有する貼付型センサから前記検出データを読み出す際に前記貼付型センサに接続されるコネクタであって、
前記貼付型センサの外形に合わせた収納部を有する筐体と、
前記収納部に設けられ、前記収納部に前記貼付型センサが位置合わせされた状態で、前記読出端子に接続される第１端子と、
前記第１端子に電気的に接続されるとともに、前記検出データのデータ処理を行う情報処理装置に接続される第２端子と
を含む、コネクタ。
【請求項２】
前記収納部は、前記貼付型センサの外形に合わせて非対称的な内部形状を有する、請求項１記載のコネクタ。
【請求項３】
前記筐体は、前記収納部に前記貼付型センサが挿入された状態で、前記筐体の外部から前記貼付型センサの挿入された部分を視認可能な透明部分を有する、請求項１又は２記載のコネクタ。
【請求項４】
前記収納部の内部に設けられ、前記貼付型センサに係合し、前記読出端子を前記第１端子に案内する案内部をさらに含む、請求項１乃至３のいずれか一項記載のコネクタ。
【請求項５】
前記貼付型センサは、前記読出端子を覆うカバーを有し、
前記第１端子は、前記カバーを貫通可能なピン状の端子である、請求項１乃至４のいずれか一項記載のコネクタ。
【請求項６】
前記第１端子は、前記カバーを突き破って前記読出端子に接続される、請求項５記載のコネクタ。
【請求項７】
前記カバーは、可撓性を有し、伸縮可能な部材である、請求項５又は６記載のコネクタ。
【請求項８】
前記収納部の内部に設けられ、前記収納部への前記貼付型センサの挿入方向に対して傾斜した刃状部をさらに含み、
前記第１端子は、前記刃状部に設けられる、請求項１乃至４のいずれか一項記載のコネクタ。
【請求項９】
前記貼付型センサは、前記刃状部が挿入されるスリットを有し、
前記読出端子は、前記スリットの挿入方向における奥に配置され、
前記刃状部が前記読出端子に押圧された状態、又は、前記刃状部が前記読出端子に差し込まれた状態で、前記第１端子が前記読出端子に接続される、請求項８記載のコネクタ。
【請求項１０】
前記第１端子は、前記読出端子の凹形状に対応した凸状の端子である、請求項１乃至４のいずれか一項記載のコネクタ。
【請求項１１】
前記被検体は、生体であり、
前記検出データは、生体データである、請求項１乃至１０のいずれか一項記載のコネクタ。
【請求項１２】
被検体に貼り付けられる感圧接着層と、前記感圧接着層に固定され前記被検体に接触するプローブと、前記プローブを介して検出される検出データを格納するメモリと、前記メモリに接続され前記検出データの読み出しに用いられる読出端子とを有する貼付型センサから前記検出データを読み出す読出装置であって、
前記貼付型センサの外形に合わせた収納部を有する筐体と、
前記収納部に設けられ、前記収納部に前記貼付型センサが位置合わせされた状態で、前記読出端子に接続される端子と、
前記端子を介して前記貼付型センサから検出データを読み出す情報処理部と
を含む、読出装置。
【請求項１３】
被検体に貼り付けられる感圧接着層と、前記感圧接着層に固定され前記被検体に接触するプローブと、前記プローブを介して検出される検出データを格納するメモリと、前記メモリに接続され前記検出データの読み出しに用いられる読出端子とを有する貼付型センサから前記検出データを読み出し、読み出した検出データの処理を行う検出データ処理装置であって、
前記貼付型センサの外形に合わせた収納部を有する筐体と、
前記収納部に設けられ、前記収納部に前記貼付型センサが位置合わせされた状態で、前記読出端子に接続される端子と、
前記端子を介して前記貼付型センサから検出データを読み出し、読み出した検出データの処理を行う情報処理部と
を含む、検出データ処理装置。
【発明の詳細な説明】
【技術分野】
【０００１】
本発明は、コネクタ、読出装置、及び、検出データ処理装置に関する。
【背景技術】
【０００２】
従来より、メモリカードを挿入するためのコネクタを備えた電気基板と、該電気基板を保持する基板支持部材と、カード挿入口を有するカードコネクタカバーと、該カードコネクタカバーとは別の外装カバーと、を備え、前記基板支持部材は前記外装カバーと位置決めされ、前記基板支持部材と前記カードコネクタカバーとを、少なくともメモリカード挿抜方向に垂直な２方向で位置決めすることを特徴とするメモリカードリーダ装置がある（例えば、特許文献１参照）。
【先行技術文献】
【特許文献】
【０００３】
【特許文献１】特開２００６−０７９３３６号公報
【発明の概要】
【発明が解決しようとする課題】
【０００４】
上述のように、メモリカードリーダ装置でメモリカードを読み込むには、メモリカードリーダ装置の端子とメモリカードの端子との位置合わせが必要であり、種々の工夫が行われている。
【０００５】
ところで、生体表面に貼り付けて心電波形や脈拍等の生体データを取得し、生体データをメモリに格納する生体センサは、メモリカードと同様に位置決めが重要であるが、生体表面に貼り付けられる感圧接着層を有することや、生体表面に沿って変形可能であること等から、メモリカードとは種々の点で異なる。
【０００６】
そこで、生体データの読み出し時に位置合わせが容易なコネクタ、読出装置、及び、検出データ処理装置を提供することを目的とする。
【課題を解決するための手段】
【０００７】
本発明の実施の形態のコネクタは、被検体に貼り付けられる感圧接着層と、前記感圧接着層に固定され前記被検体に接触するプローブと、前記プローブを介して検出される検出データを格納するメモリと、前記メモリに接続され前記データの読み出しに用いられる読出端子とを有する貼付型センサから前記検出データを読み出す際に前記貼付型センサに接続されるコネクタであって、前記貼付型センサの外形に合わせた収納部を有する筐体と、前記収納部に設けられ、前記収納部に前記貼付型センサが位置合わせされた状態で、前記読出端子に接続される第１端子と、前記第１端子に電気的に接続されるとともに、前記検出データのデータ処理を行う情報処理装置に接続される第２端子とを含む。
【発明の効果】
【０００８】
生体データの読み出し時に位置合わせが容易なコネクタ、読出装置、及び、検出データ処理装置を提供することができる。
【図面の簡単な説明】
【０００９】
【図１】生体センサ１を示す図である。
【図２】図１におけるＡ−Ａ矢視断面とＢ−Ｂ矢視断面とを示す図である。
【図３】プローブ部材の作製工程を説明する斜視図である。
【図４】コネクタ１００を示す図である。
【図５】コネクタ１００を示す図である。
【図６】コネクタ１００を示す図である。
【図７】コネクタ１００を示す図である。
【図８】図４のＣ−Ｃ矢視断面を示す図である。
【図９】コネクタ１００の動作を示す図である。
【図１０】コネクタ１００を用いて生体センサ１から生体データを読み出す際の手順を示す図である。
【図１１】実施の形態の変形例のコネクタを示す図である。
【図１２】実施の形態の変形例のコネクタを示す図である。
【図１３】実施の形態の変形例のコネクタを示す図である。
【図１４】実施の形態の変形例のコネクタを示す図である。
【図１５】実施の形態の変形例のコネクタを示す図である。
【図１６】実施の形態の変形例のコネクタを示す図である。
【図１７】実施の形態の変形例のコネクタを示す図である。
【図１８】実施の形態の変形例のコネクタを示す図である。
【図１９】実施の形態の変形例のコネクタを示す図である。
【図２０】実施の形態の変形例のコネクタを示す図である。
【図２１】実施の形態の変形例のコネクタを示す図である。
【発明を実施するための形態】
【００１０】
以下、本発明のコネクタ、読出装置、及び、検出データ処理装置を適用した実施の形態について説明する。
【００１１】
＜実施の形態＞
図１は、生体センサ１を示す図である。図２は、図１におけるＡ−Ａ矢視断面とＢ−Ｂ矢視断面とを示す図である。図３は、プローブ部材の作製工程を説明する斜視図であり、上側図は、下側から見た斜視図、下側図は、上側から見た斜視図を示す。ここでは、説明の便宜上、上述のような上下関係を用いて説明するが、普遍的な上下関係を表すものではない。
【００１２】
図１において、紙面左右方向は、生体センサ１の長手方向（第１方向）である。紙面右側は、長手方向一方側（第１方向一方側）であり、紙面左側は、長手方向他方側（第１方向他方側）である。
【００１３】
図１において、紙面上下方向は、生体センサ１の短手方向（長手方向に直交する方向、幅方向、第１方向に直交する第２方向）である。紙面上側は、短手方向一方側（幅方向一方側、第２方向一方側）であり、紙面下側は、短手方向他方側（幅方向他方側、第２方向他方側）である。
【００１４】
図１において、紙面紙厚方向は、生体センサ１の上下方向（厚み方向、第１方向および第２方向に直交する第３方向）である。紙面手前側は、上側（厚み方向一方側、第３方向一方側）であり、紙面奥側は、下側（厚み方向他方側、第３方向他方側）である。
【００１５】
方向は、各図面に記載の方向矢印に準拠する。
【００１６】
これらの方向の定義により、生体センサ１および貼付型心電計３０（後述）の製造時および使用時の向きを限定する意図はない。
【００１７】
図１〜図２Ｂに示すように、生体センサ１は、長手方向に延びる略平板形状を有する。生体センサ１は、感圧接着層２と、感圧接着層２の上面に配置される基材層３と、基材層３に配置される配線層４と、感圧接着層２の下面の一例としての接着下面９から露出するように、感圧接着層２に埋め込まれているプローブ５と、配線層４およびプローブ５を電気的に接続する接続部６とを備える。
【００１８】
感圧接着層２は、生体センサ１の下面を形成する。感圧接着層２は、生体センサ１の下面を生体表面（皮膚３３など）に対して貼付するために、生体センサ１の下面に感圧接着性を付与する層である。感圧接着層２は、生体センサ１の外形形状を形成している。感圧接着層２は、長手方向に延びる平板形状を有する。具体的には、例えば、感圧接着層２は、長手方向に延びる帯状を有し、長手方向中央部が短手方向両外側に向かって膨らむ形状を有する。また、感圧接着層２において、長手方向中央部の短手方向両端縁は、長手方向中央部以外の短手方向両端縁に対して、短手方向両外側に位置する。
【００１９】
感圧接着層２は、上面の一例としての接着上面８と、接着下面９とを有する。
【００２０】
接着上面８は、平坦面である。
【００２１】
接着下面９は、接着上面８の下側に間隔を隔てて対向配置されている。
【００２２】
また、感圧接着層２は、その長手方向両端部のそれぞれに、２つの接着開口部１１のそれぞれを有する。２つの接着開口部１１のそれぞれは、平面視略リング形状を有する。接着開口部１１は、感圧接着層２の厚み方向を貫通する。接着開口部１１には、接続部６が充填される。
【００２３】
また、接着開口部１１の内側における接着下面９は、プローブ５（後述）に対応する接着溝１０を有する。接着溝１０は、下側に向かって開放される。
【００２４】
感圧接着層２の材料としては、例えば、感圧接着性を有する材料であれば特に限定されず、好ましくは、生体適合性を有する材料が挙げられる。そのような材料として、アクリル系感圧接着剤、シリコーン系感圧接着剤などが挙げられる。好ましくは、アクリル系感圧接着剤が挙げられる。アクリル系感圧接着剤としては、例えば、特開２００３−３４２５４１号公報に記載のアクリルポリマーなどが挙げられる。
【００２５】
感圧接着層２を角質剥離試験したときに、角質剥離面積率が、例えば、５０％以下、好ましくは、３０％以下、より、好ましくは、１５％以下であり、また、例えば、０％以上である。角質剥離面積率が上記した上限以下であれば、感圧接着層２を生体に貼着しても、生体の負荷を抑制することができる。つまり、感圧接着層２の材料が、優れた生体適合性を有することができる。角質剥離試験は、特開２００４−８３４２５号公報に記載の方法によって、測定される。
【００２６】
感圧接着層２の透湿度は、例えば、３００（ｇ／ｍ2／ｄａｙ）以上、好ましくは、６００（ｇ／ｍ2／ｄａｙ）以上、さらに好ましくは、１０００（ｇ／ｍ2／ｄａｙ）以上である。感圧接着層２の透湿度が上記した下限以上であれば、感圧接着層２を生体に貼着しても、生体の負荷を抑制することができる。つまり、感圧接着層２の材料が、優れた生体適合性を有することができる。
【００２７】
そして、（１）角質剥離試験の角質剥離面積率が５０％以下、（２）透湿度が３００（ｇ／ｍ2／ｄａｙ）以上の少なくともいずれかの要件を満たせば、好ましくは、（１）および（２）の両方の要件を満たせば、感圧接着層２の材料は、生体適合性を有する。
【００２８】
感圧接着層２の厚みは、接着溝１０以外の領域における接着上面８および接着下面９間の距離として、例えば、１０μｍ以上、好ましくは、２０μｍ以上であり、また、例えば、１００μｍ未満、好ましくは、５０μｍ以下である。
【００２９】
基材層３は、生体センサ１の上面を形成する。基材層３は、感圧接着層２とともに生体センサ１の外形形状を形成している。基材層３の平面視形状は、感圧接着層２の平面視形状と同一である。基材層３は、感圧接着層２の上面全面（ただし、接続部６が設けられる領域を除く）に配置されている。基材層３は、感圧接着層２を支持する支持層である。基材層３は、長手方向に延びる平板形状を有する。基材層３は、基材下面１２と、上面の一例としての基材上面１３とを有する。
【００３０】
基材下面１２は、平坦面である。基材下面１２は、感圧接着層２の接着上面８に接触（感圧接着）している。
【００３１】
基材上面１３は、基材下面１２の上側に間隔を隔てて対向配置されている。基材上面１３は、配線層４に対応する基材溝１４を有する。基材溝１４は、平面視において、配線層４と同一のパターン形状を有する。基材溝１４は、上側に向かって開放される。
【００３２】
また、基材層３は、接着開口部１１に対応する基材開口部１５を有する。基材開口部１５は、接着開口部１１に厚み方向に連通する。基材開口部１５は、接着開口部１１と同一形状および同一寸法の平面視略リング形状を有する。
【００３３】
基材層３の材料は、伸縮性を有する。また、基材層３の材料は、例えば、絶縁層を有する。そのような材料としては、例えば、樹脂が挙げられる。樹脂としては、例えば、ポリウレタン系樹脂、シリコーン系樹脂、アクリル系樹脂、ポリスチレン系樹脂、塩化ビニル系樹脂、ポリエステル系樹脂などの熱可塑性樹脂が挙げられる。
【００３４】
基材層３の材料として、より優れた伸縮性および透湿性を確保する観点から、好ましくは、ポリウレタン系樹脂が挙げられる。
【００３５】
基材層３の破断伸度は、例えば、１００％以上、好ましくは、２００％以上、より好ましくは、３００％以上であり、また、例えば、２０００％以下である。破断伸度が上記下限以上であれば、基材層３の材料が優れた伸縮性を有することができる。なお、破断伸度は、ＪＩＳ  Ｋ  ７１２７（１９９９年）に従い、引張速度５ｍｍ／分、試験片タイプ２で、測定される。
【００３６】
また、基材層３の２０℃における引張強度（チャック間１００ｍｍ，引張速度３００ｍｍ／ｍｉｎ，破断時の強度）は、例えば、０．１Ｎ／２０ｍｍ以上、好ましくは、１Ｎ／２０ｍｍ以上であり、また、例えば、２０Ｎ／２０ｍｍ以下である。引張強度は、ＪＩＳ  Ｋ  ７１２７（１９９９年）に基づいて、測定される。
【００３７】
さらに、基材層３の２０℃における引張貯蔵弾性率Ｅ'は、例えば、２，０００ＭＰａ以下、好ましくは、１，０００ＭＰａ以下、より好ましくは、１００ＭＰａ以下、さらに好ましくは、５０ＭＰａ以下、とりわけ好ましくは、２０ＭＰａ以下であり、また、例えば、０．１ＭＰａ以上である。基材層３の引張貯蔵弾性率Ｅ'が上記した上限以下であれば、基材層３の材料が優れた伸縮性を有することができる。基材層３の２０℃における引張貯蔵弾性率Ｅ'は、周波数１Ｈｚおよび昇温速度１０℃／分の条件で基材層３を動的粘弾性測定することにより求められる。
【００３８】
そして、（３）破断伸度が１００％以上、（４）引張強度が２０Ｎ／２０ｍｍ以下、（５）引張貯蔵弾性率Ｅ'が２，０００ＭＰａ以下の少なくともいずれか１つの要件、好ましくは、２つ以上の要件、より好ましくは、３つすべての要件を満たせば、基材層３の材料が、伸縮性を有する。
【００３９】
基材層３の厚みは、基材溝１４以外の領域における基材下面１２および基材上面１３間の距離として、例えば、１μｍ以上、好ましくは、５μｍ以上であり、また、例えば、３００μｍ以下、好ましくは、１０μｍ以下である。
【００４０】
配線層４は、基材溝１４に埋め込まれている。詳しくは、配線層４は、基材層３の基材上面１３から露出するように、基材層３の上部に埋め込まれている。配線層４は、互いに間隔を隔てて配置される上面および下面と、それらの周端縁を連結する側面とを有する。下面の全部および側面の全部は、基材層３に接触している。上面は、基材上面１３（基材溝１４を除く）から露出している。配線層４の上面は、基材上面１３とともに、生体センサ１の上面を形成する。
【００４１】
配線層４は、接続部６と、電子部品３１（後述）および電池３２（後述）とを接続する配線パターンを有する。具体的には、配線層４は、第１配線パターン４１と、第２配線パターン４２とを独立して備える。
【００４２】
第１配線パターン４１は、基材層３における長手方向一方側に配置される。第１配線パターン４１は、第１配線１６Ａと、それに連続する第１端子１７Ａおよび第２端子１７Ｂとを備える。
【００４３】
第１配線パターン４１は、平面視略Ｔ字形状を有する。詳しくは、第１配線パターン４１は、基材層３の長手方向一端部（に位置する接続部６）から長手方向他方側に向かって延び、基材層３の長手方向中央部で分岐して、短手方向両外側に向かって延びる。
【００４４】
第１端子１７Ａおよび第２端子１７Ｂのそれぞれは、基材層３の長手方向中央部における短手方向両端部のそれぞれに配置されている。第１端子１７Ａおよび第２端子１７Ｂのそれぞれは、平面視略矩形状（ランド形状）を有する。第１端子１７Ａおよび第２端子１７Ｂのそれぞれは、基材層３の長手方向中央部において短手方向両外側に延びる第１配線１６Ａの両端部のそれぞれに連続する。
【００４５】
第２配線パターン４２は、第１配線パターン４１の長手方向他方側に間隔を隔てて設けられる。第２配線パターン４２は、第２配線１６Ｂと、それに連続する第３端子１７Ｃおよび第４端子１７Ｄとを備える。
【００４６】
第２配線パターン４２は、平面視略Ｔ字形状を有する。詳しくは、第２配線パターン４２は、基材層３の長手方向他端部（に位置する接続部６）から長手方向一方側に向かって延び、基材層３の長手方向中央部で分岐して、短手方向両外側に向かって延びる。
【００４７】
第３端子１７Ｃおよび第４端子１７Ｄのそれぞれは、基材層３の長手方向中央部における短手方向両端部のそれぞれに配置されている。第３端子１７Ｃおよび第４端子１７Ｄのそれぞれは、平面視略矩形状（ランド形状）を有する。第３端子１７Ｃおよび第４端子１７Ｄのそれぞれは、基材層３の長手方向中央部において短手方向両外側に延びる第２配線１６Ｂの両端部のそれぞれに連続する。
【００４８】
配線層４の材料としては、例えば、銅、ニッケル、金、それらの合金などの導体が挙げられる。配線層４の材料として、好ましくは、銅が挙げられる。
【００４９】
配線層４の厚みは、例えば、０．１μｍ以上、好ましくは、１μｍ以上であり、また、例えば、１００μｍ以下、好ましくは、５μｍ以下である。
【００５０】
プローブ５は、感圧接着層２が生体表面に貼付されたときに、生体表面に接触して、生体からの電気信号や温度、振動、汗や代謝物の種類や量等などをセンシングする電極である。プローブ５は、接着開口部１１の内側において、感圧接着層２における接着溝１０に埋め込まれている。つまり、プローブ５は、接着開口部１１の内側において、感圧接着層２の下端部に埋め込まれている。プローブ５は、平面視略碁盤目形状（あるいは略メッシュ形状）を有する。換言すれば、プローブ５は、面方向（長手方向および短手方向）において互いに間隔を隔てる孔を有する。なお、孔には、感圧接着層２が充填されている。
【００５１】
また、プローブ５は、それが延びる方向に直交する断面視において、略矩形状を有する。プローブ５は、プローブ下面２０と、プローブ下面２０の上側に間隔を隔てて対向配置されるプローブ上面２１と、プローブ下面２０およびプローブ上面２１の周端縁を連結する側面とを有する。
【００５２】
プローブ下面２０は、感圧接着層２の接着下面９（接着溝１０を除く）から露出する。プローブ下面２０は、接着下面９と面一である。プローブ下面２０は、接着下面９とともに、生体センサ１の下面を形成している。
【００５３】
プローブ上面２１は、感圧接着層２に被覆されている。
【００５４】
図３に示すように、プローブ部材１８の側面のうち、最外側に位置する面は、外側面２２である。外側面２２は、平面視において、外側面２２を通過する仮想円を形成する。プローブ部材１８は、感圧接着層２、基材層３、及びプローブ５を有する。
【００５５】
プローブ５の材料としては、配線層４で例示した材料（具体的には、導体）が挙げられる。
【００５６】
プローブ５の外形寸法は、外側面２２を通過する仮想円が、接着開口部１１を区画する内周面が平面視で重複するように、設定されている。
【００５７】
プローブ５の厚みは、例えば、０．１μｍ以上、好ましくは、１μｍ以上であり、また、例えば、１００μｍ未満、好ましくは、７５μｍ以下である。
【００５８】
接続部６は、基材開口部１５および接着開口部１１に対応して設けられており、それらと同一形状を有する。接続部６は、基材層３および感圧接着層２を厚み方向（上下方向）に貫通（通過）しており、基材開口部１５および接着開口部１１に充填されている。接続部６は、プローブ５の外側面２２に沿う、平面視無端形状を有する。具体的には、接続部６は、軸線が厚み方向に延びる（外側面２２を通過する仮想円に沿う）略円筒形状を有する。
【００５９】
接続部６の内側面は、プローブ５の外側面２２に接触している。接続部６は、接着開口部１１の外側の感圧接着層２と、接着開口部１１の内側の感圧接着層２とに感圧接着している。
【００６０】
接続部６の上面は、基材上面１３と面一である。接続部６の下面は、接着下面９と面一である。
【００６１】
図１に示すように、２つの接続部６のうち、長手方向一方側に位置する接続部６は、その上端部において、長手方向一方側に位置する第１配線１６Ａの長手方向一端縁に連続する。長手方向他方側に位置する接続部６は、その上端部において、長手方向他方側に位置する配線１６Ｂの長手方向他端縁に連続する。
【００６２】
これにより、接続部６は、配線層４とプローブ５とを電気的に接続する。
【００６３】
接続部６の材料としては、例えば、金属、導電性樹脂（導電性高分子を含む）などが挙げられ、好ましくは、導電性樹脂などが挙げられる。
【００６４】
接続部６の厚み（上下方向長さ）は、基材層３および感圧接着層２の総厚みと同一である。接続部６の径方向長さ（外径から内径を差し引いた値の半値）は、例えば、１μｍ以上、好ましくは、１００μｍ以上であり、また、例えば、１０００μｍ以下、好ましくは、５００μｍ以下である。
【００６５】
電子部品３１としては、例えば、プローブ５で取得した生体からの電気信号を処理して記憶するためのアナログフロントエンド、マイコン、メモリ、さらには、電気信号を電波に変換し、これを外部の受信機に無線送信するための通信ＩＣ、送信機などが挙げられる。電子部品３１は、これらのうち一部あるいは全てを有していてもい。電子部品３１は、その下面に設けられる２つあるいは３つ以上の端子（図示せず）を有する。
【００６６】
また、電子部品３１には、端子５０が設けられている。図１には一例として４個の端子５０を示すが、端子５０の数は４個に限られるものではなく、最終的に生体データを読み出すＰＣ(Personal Computer)の端子の数と同一の数だけ設ければよい。
【００６７】
端子５０は、第１端子１７Ａと同様に、第１配線１６Ａと同様の配線５１を介して電子部品３１に接続されている。端子５０は、電子部品３１のメモリに格納される生体データを読み出す際に用いられる端子であり、読出端子の一例である。生体データは、プローブ５によって検出される、生体の心拍や脈拍のデータ、生体の電気信号や温度、振動、汗や代謝物の種類や量等を表すデータである。
【００６８】
また、生体センサ１は、上面全体を覆うカバー５５を含む。カバーは、基材層３、電子部品３１、及び電池３２を覆う。カバー５５は、一例として超軟質ウレタンゴム製であり、可撓性を有し、伸縮可能な部材である。カバー５５は、平面視で基材層３と等しい形状及びサイズを有する。生体センサ１は、長手方向の中央部に電子部品３１及び電池３２が配置されているため、カバー５５は、長手方向の中央部が突出した凸部５５Ａを有する。凸部５５Ａは、生体センサ１の上面の長手方向の中央部に位置する。
【００６９】
図４乃至図７は、コネクタ１００を示す図である。図８は、図４のＣ−Ｃ矢視断面を示す図である。図９は、コネクタ１００の動作を示す図である。
【００７０】
以下ではＸＹＺ座標系を用いて説明する。また、以下では、説明の便宜上、Ｚ軸負方向側を下側又は下、Ｚ軸正方向側を上側又は上と称すが、普遍的な上下関係を表すものではない。また、平面視とはＸＹ面視をいう。
【００７１】
コネクタ１００は、筐体１１０、回転操作部１２０、可動部１３０、ばね１４０、ピン端子１５０、及び、出力端子１６０を含む。
【００７２】
筐体１１０は、本体部１１０Ａと蓋部１１０Ｂとを有する。本体部１１０Ａは、下側に位置する部分であり、蓋部１１０Ｂとはネジ１１０Ｃによって固定されている。本体部１１０Ａは、下面側に収納部１１１Ａと張出部１１２Ａを有する。
【００７３】
収納部１１１Ａは、本体部１１０ＡのＹ軸負方向側の側面から、Ｙ軸正方向に向かって凹んだ部分であり、本体部１１０ＡのＸ軸方向の全体にわたって設けられている。張出部１１２Ａは、本体部１１０Ａの下部のＹ軸正方向側から、ＹＺ面視でＬ字型に（Ｘ軸正方向側から見ると逆Ｌ字型に）張り出している部分である。張出部１１２Ａは、本体部１１０Ａの下部に収納部１１１Ａを設けるために形成されている。
【００７４】
収納部１１１Ａには、生体センサ１が挿入される。収納部１１１Ａの上側の壁部１１３Ａには、Ｚ軸正方向側に凹んだ凹部１１３Ａ１（図７及び図８参照）が設けられている。凹部１１３Ａ１は、生体センサ１の上面側の凸部５５Ａ（図２参照）に対応した形状を有しており、生体センサ１の位置決めに利用される。
【００７５】
図８に示すように、本体部１１０Ａは中空であり、内部空間は蓋部１１０Ｂによって閉じられおり、内部空間の底面は壁部１１３Ａの上面である。本体部１１０Ａは、内部に２本の支柱１１４Ａを有する。２本の支柱は、円柱状であり、壁部１１３Ａの上面からＺ軸正方向に突出している。支柱１１４Ａは、可動部１３０を上下方向に移動自在に支持する。また、壁部１１３Ａには、可動部１３０に取り付けられるピン端子１５０が挿通される貫通孔１１３Ａ２が設けられている。
【００７６】
なお、本体部１１０Ａは、四隅にネジ１１０Ｃが固定されるネジ孔を有する。
【００７７】
蓋部１１０Ｂは、平面視で矩形状の板状の部材であり、中央に回転操作部１２０に対応したネジ孔１１１Ｂを有するとともに、四隅にネジ１１０Ｃを挿通させる貫通孔１１２Ｂを有する。ネジ孔１１１Ｂは、平面視で円形であり、図８に示すように回転操作部１２０のネジ形状に対応した溝が切られている。
【００７８】
回転操作部１２０は、本体部１２１、突出部１２２、及びネジ部１２３を有する。回転操作部１２０は、一体成型された樹脂製の部材である。
【００７９】
本体部１２１は、円盤状の部材であり、上面に突出部１２２が設けられ、周状の側面に沿ってネジ部１２３が設けられている。また、本体部１２１の下面１２１Ａは、可動部１３０の上面に当接している。
【００８０】
突出部１２２は、本体部１２１の上面からＺ軸正方向に突出しており、本体部１２１の直径と略同一の長さと、人間の指で摘みやすい程度の幅とを有する。突出部１２２は、回転操作部１２０を回転させようとする利用者が複数の指で摘む（挟む）部分であり、利用者の指に係合する部分である。
【００８１】
ネジ部１２３は、蓋部１１０Ｂのネジ孔１１１Ｂに対応して、本体部１２１の周状の側面に沿って螺旋状に形成されたネジ山である。利用者が指で突出部１２２を摘んで回転操作部１２０を回転させると、ネジ部１２３が回転移動をＺ軸方向の移動量に変換するため、回転操作部１２０がＺ軸正方向又はＺ軸負方向に移動する。
【００８２】
可動部１３０（図８参照）は、本体部１１０Ａの内部に配置され、Ｘ軸方向に長手方向を有する細長い板状の部材である。可動部１３０は、樹脂のような絶縁体製であり、Ｘ軸方向の両端に貫通孔１３１を有する。２個の貫通孔１３１には、それぞれ、本体部１１０Ａの２本の支柱１１４Ａに挿通される。可動部１３０のＸ軸方向の中央部には、ピン端子１５０がＺ軸方向（厚さ方向）に貫通されている。
【００８３】
可動部１３０の上面は、回転操作部１２０の本体部１２１の下面に当接しており、貫通孔１３１の周囲の下面は、ばね１４０の上端に当接している。可動部１３０は、回転操作部１２０が回転操作されてＺ軸負方向に移動すると、下方に押圧されて下方に移動する。このときばね１４０は収縮する。また、可動部１３０は、回転操作部１２０が回転操作されてＺ軸正方向に移動すると、ばね１４０の復元力によって上方に押圧されて上方に移動する。
【００８４】
ばね１４０は、本体部１１０Ａの内部に配置され、支柱１１４Ａに挿通された状態で、可動部１３０の下面と、壁部１１３Ａの上面との間に配置される。
【００８５】
ピン端子１５０は、可動部１３０のＸ軸方向の中央部を貫通しており、配線等を介して出力端子１６０に接続されている。ピン端子１５０は、第１端子の一例である。ピン端子１５０は、図８に示す状態では、壁部１１３Ａの下面から収納部１１１Ａ内に突出していないが、回転操作部１２０が回転操作されて可動部１３０がＺ軸負方向に移動すると、壁部１１３Ａの下面から収納部１１１Ａ内に突出する。このときに、ピン端子１５０は、生体センサ１のカバー５５を突き破り、端子５０に到達するように構成されている。すなわち、ピン端子１５０は、生体センサ１のカバー５５を突き破って端子５０に接触する。
【００８６】
出力端子１６０には、生体データを処理するＰＣが接続される。出力端子１６０は、第２端子の一例である。上述のようにピン端子１５０が端子５０に接触しているときに、ＰＣで生体センサ１の電子部品３１のメモリから生体データを読み出すことができる。
【００８７】
図１０は、コネクタ１００を用いて生体センサ１から生体データを読み出す際の手順を示す図である。
【００８８】
まず、生体センサ１の下準備として、電池３２を電子部品３１から切り離すことと、感圧接着層２の下面（図２参照）を粘着性を有しないフィルム等で覆うこととを行う。
【００８９】
電池３２の切り離しは、より具体的には、配線１６Ａ、１６Ｂ（図１参照）の部分を切除等することで、回路的に電池３２を電子部品３１から切り離す。配線１６Ａ、１６Ｂ（図１参照）の部分を切除等する手法は、どのような手法であってもよい。
【００９０】
また、感圧接着層２の下面をフィルム等で覆うのは、感圧接着層２が収納部１１１Ａ内に（特に張出部１１２の上面に）付着するのを抑制し、生体センサ１を収納部１１１Ａ内に挿入し易くするためである。
【００９１】
次に、下準備を終えた生体センサ１をコネクタ１００の収納部１１１Ａに位置を合わせて挿入する。また、コネクタ１００の出力端子１６０にＰＣを接続する。このときに、ピン端子１５０は、図８に示すように、壁部１１３Ａの貫通孔１１３Ａ２内に収納し、収納部１１１Ａ内に突出していない状態にしておく。
【００９２】
位置合わせは、コネクタ１００の収納部１１１Ａの凹部１１３Ａ１に、生体センサ１のカバー５５の凸部５５Ａを嵌めることによって完了する。この状態で、平面視でコネクタ１００のピン端子１５０と、生体センサ１の端子５０との位置は一致している。
【００９３】
次に、回転操作部１２０を回転操作して可動部１３０をＺ軸負方向に移動させ、壁部１１３Ａの下面からピン端子１５０を収納部１１１Ａ内に突出させる。ピン端子１５０は、生体センサ１のカバー５５を突き破り、端子５０に接触する。
【００９４】
次に、ＰＣを操作して、ＰＣからコネクタ１００を経由して生体センサ１に電力を供給する。この状態で電子部品３１は起動され、メモリから生体データを読み出し可能な状態になる。
【００９５】
最後に、ＰＣを操作して生体センサ１のメモリから生体データを読み出す。
【００９６】
以上で、生体センサ１で取得した生体データをＰＣに読み出す処理が終了する。
【００９７】
生体センサ１は、内部のメモリに生体データを格納しているため、生体データを利用して被検者（生体データが採取された者）の健康状態等を調べるためには、生体データをＰＣで読み出す必要がある。
【００９８】
また、生体センサ１は、被検者の体に貼り付けられた状態で電池３２の電力で生体データを検出し続けるポータブル型の機器であり、生体データを検出している間に、被検者が生体センサ１を取り付けていないときと同様の日常生活を送ることができるようにするために、ケーブル等によってＰＣには接続されていない。このため、生体センサ１の端子５０に正確にＰＣを接続して生体データを読み出す必要がある。
【００９９】
コネクタ１００は、コネクタ１００の収納部１１１Ａに生体センサ１を挿入し、生体センサ１のカバー５５の凸部５５Ａを収納部１１１Ａの凹部１１３Ａ１に嵌めることによって、生体センサ１の端子５０とコネクタ１００のピン端子１５０との平面的な位置合わせが完了する。
【０１００】
そして、回転操作部１２０を回転操作してピン端子１５０を端子５０に接触させることで、生体センサ１の端子５０に正確にＰＣを接続して生体データを読み出せる状態になる。
【０１０１】
したがって、実施の形態によれば、生体データの読み出し時に位置合わせが容易なコネクタ１００を提供することができる。
【０１０２】
なお、以上では、生体表面に貼り付ける生体センサ１で生体データを検出する形態について説明した。生体とは人間及び人間以外の動植物等である。しかしながら、生体センサ１は、生体以外の物品等に貼り付けて温度等を検出するセンサであってもよい。この場合には生体センサ１を貼付型センサとして取り扱えばよい。
【０１０３】
以下では、コネクタ１００の変形例について説明する。図１１乃至図２１は、実施の形態の変形例のコネクタを示す図である。
【０１０４】
図１１に示すコネクタ２００Ａは、直方体状の筐体２１０Ａを含む。筐体２１０Ａの上面には、一例として４個の開口部２１１Ａが設けられている。開口部２１１Ａには、凹部２１２Ａが連通しており、凹部２１２Ａは、生体センサ１の少なくとも一部を挿入する空間を有する。凹部２１２Ａは、収納部の一例である。
【０１０５】
コネクタ２００Ａは、生体センサ１が凹部２１２Ａに挿入されると、カバー５５が突き破られて、端子５０がコネクタ２００Ａのピン端子に接続されるように構成されている。
【０１０６】
開口部２１１Ａの開口形状は、生体センサ１の形状に合わせられており、開口部２１１Ａの平面視における中心に対して点対称ではない（非点対称な）形状を有する。このため、生体センサ１は、開口部２１１Ａの開口形状によって決まった正しい向きにのみ挿入可能である。正しい向きとは、例えば、端子５０がピン端子の方を向く向きのことである。
【０１０７】
生体センサ１を凹部２１２Ａの最下部まで差し込むと、生体センサ１の端子５０とピン端子とが位置合わせされて接触し、ＰＣで生体データを読み取り可能な状態になる。
【０１０８】
また、筐体２１０Ａに生体データを読み出す制御部を追加してもよい。制御部は、ＩＣ(Integrated Circuit)チップのような情報処理部でよい。このような制御部をコネクタ２００Ａに含ませた装置は、読出装置である。
【０１０９】
また、このような読出装置の制御部に、生体データの処理を行う機能を追加してもよい。生体データの処理とは、例えば健康状態を分析する処理である。読出装置に生体データの処理を行う機能を追加した装置を検出データ処理装置として取り扱ってもよい。また、このような検出データ処理装置は、生体データや処理結果を表示するディスプレイを含んでもよく、さらに紙等に印刷するプリンタを内蔵させてもよい。
【０１１０】
また、図１２に示すコネクタ２００Ｂのように、２面に跨る開口部２１１Ｂを有する直方体状の筐体２１０Ｂを含んでいてもよい。開口部２１１Ｂには、凹部２１２Ｂが連通している。開口部２１１Ｂの形状は、図１１の開口部２１１Ａと同様に生体センサ１の形状に合わせられており、生体センサ１は、開口部２１１Ｂの開口形状によって決まった正しい向きにのみ挿入可能である。図１２には、横方向からのみ挿入可能な開口部２１１Ｂを示す。
【０１１１】
生体センサ１を凹部２１２Ｂの最も奥まで差し込むと、カバー５５が突き破られて、生体センサ１の端子５０とピン端子とが位置合わせされて接触し、ＰＣで生体データを読み取り可能な状態になる。
【０１１２】
また、図１３に示すコネクタ２００Ｃでは、筐体２１０Ｃは、直方体状の本体部２１１Ｃと、折りたたみ式で板状の蓋部２１２Ｃとを有している。蓋部２１２Ｃは、本体部２１１Ｃの一辺に接続されており、本体部２１１Ｃに対して開閉自在である。
【０１１３】
本体部２１１Ｃは、凹部２１１Ｃ１を有し、蓋部２１２Ｃは、凹部２１２Ｃ１を有する。蓋部２１２Ｃを閉じると、凹部２１１Ｃ１と凹部２１２Ｃ１とは一体的な凹部を構築し、一体的な凹部の内部空間の形状は、生体センサ１の外形に合わせた形状である。凹部２１１Ｃ１と凹部２１２Ｃ１とで構築される一体的な凹部には、生体データを読み出す際の正しい向きにのみ生体センサ１を挿入可能になっている。
【０１１４】
生体センサ１を本体部２１１Ｃの凹部２１１Ｃ１に挿入した状態で、蓋部２１２Ｃを閉じることによって、カバー５５が突き破られて、生体センサ１の端子５０とピン端子とが位置合わせされて接触し、ＰＣで生体データを読み取り可能な状態になる。
【０１１５】
また、図１４に示すコネクタ２００Ｄでは、直方体状の筐体２１０Ｄは、開口部２１１Ｄに連通する貫通孔２１２Ｄを有する。貫通孔２１２Ｄは、筐体２１０Ｄを貫通しており、生体センサ１の外形に合わせた内部形状を有する。このため、貫通孔２１２Ｄに生体センサ１を正しい向きで挿入することができる。貫通孔２１２Ｄは、収納部の一例である。
【０１１６】
貫通孔２１２Ｄに生体センサ１を挿入すると、カバー５５が突き破られて、生体センサ１の端子５０とピン端子とが位置合わせされて接触する。これにより、ＰＣで生体データを読み取り可能な状態になる。
【０１１７】
なお、筐体２１０Ｄは、貫通孔２１２Ｄに生体センサ１が挿入された状態で、筐体２１０Ｄの外部から生体センサ１の挿入された部分を視認可能な透明部分を有する構成であってもよい。生体センサ１の外装色や模様を見ながら位置合わせを行うことができる。
【０１１８】
また、図１５に示すコネクタ２００Ｅでは、筐体２１０Ｅの上面に、生体センサ１の外形に応じた形状に凹んだ凹部２１１Ｅが設けられている。凹部２１１Ｅの形状は、生体データを読み出す際の正しい向きにのみ生体センサ１を挿入可能な形状になっている。
【０１１９】
凹部２１１Ｅに生体センサ１を正しく挿入すると、カバー５５が突き破られて、生体センサ１の端子５０とピン端子とが位置合わせされて接触する。これにより、ＰＣで生体データを読み取り可能な状態になる。
【０１２０】
また、図１６に示すコネクタ２００Ｆでは、筐体２１０Ｆの上面に、生体センサ１の非対称な外形に応じた形状に凹んだ凹部２１１Ｆが設けられている。凹部２１１Ｆの形状は、生体データを読み出す際の正しい向きにのみ生体センサ１を挿入可能な形状になっており、生体センサ１の非対称な外形に合わせて非対称な形状になっている。
【０１２１】
凹部２１１Ｆに生体センサ１を正しく挿入すると、カバー５５が突き破られて、生体センサ１の端子５０とピン端子とが位置合わせされて接触する。これにより、ＰＣで生体データを読み取り可能な状態になる。
【０１２２】
また、以下で図１７乃至図２１を用いて説明する構成は、図１１乃至図１６を用いて説明した上述のコネクタ２００Ａ〜２００Ｆに組み合わせて実現できる構成である。以下では、一例として図１１に示すコネクタ２００Ａに適用した形態について説明する。
【０１２３】
図１７（Ａ）に示すように、コネクタ２００Ａの端子２５０Ａの周りに位置合わせ用のガイドピン２１１Ｇを設け、図１７（Ｂ）に示すように、ガイドピン２１１Ｇに対応する孔部６０Ｇを生体センサ１Ｇに設けてもよい。図１７（Ａ）では、端子２５０Ａの両側に互いに形状の異なる２個のガイドピン２１１Ｇが設けられている。端子２５０Ａは、ピン端子１５０（図２参照）の代わりに用いられる平面状の端子である。
【０１２４】
凹部２１２Ａの最も奥まで生体センサ１を挿入し、孔部６０Ｇにガイドピン２１１Ｇが挿入されると、カバー５５が突き破られて、コネクタ２００Ａの端子２５０Ａに生体センサ１Ｇの端子５０が接触する。これにより、ＰＣで生体データを読み取り可能な状態になる。
【０１２５】
また、図１８に示すように、コネクタ２００Ａのピン端子は様々な形状を有するピン端子であってもよい。図１８（Ａ）には、先端が円錐状のピン端子２５０Ａ１を示し、図１８（Ｂ）には先端が斜めに切除された切除部を有するピン端子２５０Ａ２を示し、図１８（Ｃ）には、円柱状のピン端子２５０Ａ３を示す。
【０１２６】
ここでは、図１１に示すコネクタ２００Ａではなく、図１８（Ｄ）に示すコネクタ２００Ｈを用いて説明する。例えば、図１８（Ｄ）に示すように、コネクタ２００Ｈの筐体２１０Ｈの凹部２１１Ｈに傾斜部２１１Ｈ１を設けておき、生体センサ１を挿入すると傾斜部２１１Ｈ１に沿って生体センサ１がくの字型に折れ曲がり、カバー５５が突き破られて、端子２５０Ａ２の斜めの切除部に、生体センサ１の端子５０が接触するような構成であってもよい。
【０１２７】
なお、図１８（Ｄ）に示すような構成に限らず、生体センサ１をくの字型に折れ曲げた状態で、端子２５０Ａ２の斜めの切除部に、生体センサ１の端子５０が接触するような構成であってもよい。
【０１２８】
また、図１９（Ａ）に示すように、コネクタ２００のピン端子の代わりに、棒状部材２５０Ｊの刃状部２５１Ｊに設けられた端子２５２Ｊを用いてもよい。この場合に、一例として、図１９（Ｂ）に示すように、生体センサ１Ｊのカバー５５はスリット５５Ｊを有しており、スリット５５Ｊの真下に端子５０が設けられている（図１９（Ｃ）参照）。
【０１２９】
図１９（Ｃ）に示すように、棒状部材２５０Ｊをスリット５５Ｊに挿入して奥まで移動させると、棒状部材２５０Ｊの刃状部２５１Ｊに設けられた端子２５２Ｊが生体センサ１Ｊの端子５０に接触し、ＰＣで生体データを読み取り可能な状態になる。
【０１３０】
また、図２０に示すように、端子５０は、基材層３における面積を大きくとってもよい。端子５０とコネクタ２００Ａのピン端子との位置合わせが容易になる。
【０１３１】
また、図２１に示すように、生体センサ１の端子５０（図２参照）の代わりに、基材層３Ｌの端部の凹部３ＬＡに沿って設けられた円弧状の端子５０Ｌを用いてもよい。端子５０Ｌは、配線５１Ｌを介して電子部品３１に接続される。
【０１３２】
また、コネクタ１００のピン端子１５０の代わりに、絶縁体製の基板２５０Ｌの表面に配列された畝状（半円柱を寝かせた形状）の端子２５１Ｌを用いてもよい。端子２５１Ｌは、端子５０Ｌに対応した形状を有する。端子２５１Ｌに端子５０Ｌを接触させることにより、ＰＣで生体データを読み取り可能な状態になる。
【０１３３】
以上、本発明の例示的な実施の形態のコネクタ、読出装置、及び、検出データ処理装置について説明したが、本発明は、具体的に開示された実施の形態に限定されるものではなく、特許請求の範囲から逸脱することなく、種々の変形や変更が可能である。
【符号の説明】
【０１３４】
１  生体センサ
２  感圧接着層
３  基材層
４  配線層
５  プローブ
６  接続部
８  接着上面（感圧接着層の上面の一例）
９  接着下面（感圧接着層の下面の一例）
１３  基材上面（基材層の上面の一例）
３０  貼付型心電計
３１  電子部品
５０  端子（読出端子）
５５  カバー
１００  コネクタ
１１０  筐体
１５０  ピン端子（第１端子）
１６０  出力端子（第２端子）
２１２Ａ、２１２Ｂ、２１１Ｃ１、２１２Ｃ１  凹部（収納部）
２１２Ｄ  貫通孔（収納部）
【図１】
2020062244.tif 000003
【図２】
2020062244.tif 000004
【図３】
2020062244.tif 000005
【図４】
2020062244.tif 000006
【図５】
2020062244.tif 000007
【図６】
2020062244.tif 000008
【図７】
2020062244.tif 000009
【図８】
2020062244.tif 000010
【図９】
2020062244.tif 000011
【図１０】
2020062244.tif 000012
【図１１】
2020062244.tif 000013
【図１２】
2020062244.tif 000014
【図１３】
2020062244.tif 000015
【図１４】
2020062244.tif 000016
【図１５】
2020062244.tif 000017
【図１６】
2020062244.tif 000018
【図１７】
2020062244.tif 000019
【図１８】
2020062244.tif 000020
【図１９】
2020062244.tif 000021
【図２０】
2020062244.tif 000022
【図２１】
2020062244.tif 000023